(57)【特許請求の範囲】
【請求項１】
所定の記録形式で所定の記録元に記録されている記録対象情報を、所定の記録形式で所定の記録先に記録する情報記録手段と、
前記記録元に記録されている、前記情報記録手段が記録する前記記録対象情報のタイトルを示すタイトル情報を前記記録先に記録するタイトル記録手段と、
から構成され、
前記情報記録手段は、第１の記録形式又は第２の記録形式で前記記録元に記録されている前記記録対象情報を、該第１の記録形式又は該第２の記録形式で前記記録先に記録し、
前記タイトル情報は、前記記録対象情報が前記第２の記録形式で前記記録元に記録されている場合、該記録対象情報が該第２の記録形式で記録されていることを示す形式情報を含み、
前記タイトル記録手段は、前記情報記録手段が前記第２の記録形式で前記記録元に記録されている前記記録対象情報を、前記第１の記録形式で前記記録先に記録する場合に、前記タイトル情報に含まれている前記形式情報を該タイトル情報から削除する、
ことを特徴とする情報記録装置。
【請求項２】
所定の記録形式で所定の記録元に記録されている記録対象情報を、所定の記録形式で所定の記録先に記録する情報記録手段と、
前記記録元に記録されている、前記情報記録手段が記録する前記記録対象情報のタイトルを示すタイトル情報を前記記録先に記録するタイトル記録手段と、
から構成され、
前記情報記録手段は、第１の記録形式又は第２の記録形式で前記記録元に記録されている前記記録対象情報を、該第１の記録形式又は該第２の記録形式で前記記録先に記録し、
前記タイトル情報は、前記記録対象情報が前記第２の記録形式で前記記録元に記録されている場合、該記録対象情報が該第２の記録形式で記録されていることを示す形式情報を含み、
前記タイトル記録手段は、前記タイトル情報に前記形式情報が含まれている場合、該タイトル情報から該形式情報を削除する削除手段と、
前記情報記録手段が前記記録対象情報を前記第２の記録形式で前記記録先に記録するか否かを判別する形式判別手段と、
前記形式判別手段が前記第２の記録形式で記録すると判別した場合に、前記形式情報を削除した前記タイトル情報に該形式情報を書き込む書込手段と、
を備える、
ことを特徴とする情報記録装置。
【請求項３】
所定の記録形式で所定の記録元に記録されている記録対象情報を、所定の記録形式で所定の記録先に記録する情報記録工程と、
前記記録元に記録されている、前記情報記録工程で記録する前記記録対象情報のタイトルを示すタイトル情報を前記記録先に記録するタイトル記録工程と、
を備え、
前記情報記録工程は、第１の記録形式又は第２の記録形式で前記記録元に記録されている前記記録対象情報を、該第１の記録形式又は該第２の記録形式で前記記録先に記録する工程を備え、
前記タイトル情報は、前記記録対象情報が前記第２の記録形式で前記記録元に記録されている場合、該記録対象情報が該第２の記録形式で記録されていることを示す形式情報を含み、
前記タイトル記録工程は、前記情報記録工程において、前記第２の記録形式で前記記録元に記録されている前記記録対象情報を、前記第１の記録形式で前記記録先に記録する場合に、前記タイトル情報に含まれている前記形式情報を該タイトル情報から削除する工程を備える、
ことを特徴とする情報記録方法。
【請求項４】
所定の記録形式で所定の記録元に記録されている記録対象情報を、所定の記録形式で所定の記録先に記録する情報記録工程と、
前記記録元に記録されている、前記情報記録工程で記録する前記記録対象情報のタイトルを示すタイトル情報を前記記録先に記録するタイトル記録工程と、
を備え、
前記情報記録工程は、第１の記録形式又は第２の記録形式で前記記録元に記録されている前記記録対象情報を、該第１の記録形式又は該第２の記録形式で前記記録先に記録する工程を備え、
前記タイトル情報は、前記記録対象情報が前記第２の記録形式で前記記録元に記録されている場合、該記録対象情報が該第２の記録形式で記録されていることを示す形式情報を含み、
前記タイトル記録工程は、前記タイトル情報に前記形式情報が含まれている場合、該タイトル情報から該形式情報を削除する削除工程と、
前記情報記録工程で前記記録対象情報を前記第２の記録形式で前記記録先に記録するか否かを判別する形式判別工程と、
前記形式判別工程で前記第２の記録形式で記録すると判別した場合に、前記形式情報を削除した前記タイトル情報に該形式情報を書き込む書込工程と、
を備える、
ことを特徴とする情報記録方法。
【請求項５】
コンピュータを、
所定の記録形式で所定の記録元に記録されている記録対象情報を、所定の記録形式で所定の記録先に記録する情報記録手段と、
前記記録元に記録されている、前記情報記録手段が記録する前記記録対象情報のタイトルを示すタイトル情報を前記記録先に記録するタイトル記録手段と、
から構成され、
前記情報記録手段は、第１の記録形式又は第２の記録形式で前記記録元に記録されている前記記録対象情報を、該第１の記録形式又は該第２の記録形式で前記記録先に記録し、
前記タイトル情報は、前記記録対象情報が前記第２の記録形式で前記記録元に記録されている場合、該記録対象情報が該第２の記録形式で記録されていることを示す形式情報を含み、
前記タイトル記録手段は、前記情報記録手段が前記第２の記録形式で前記記録元に記録されている前記記録対象情報を、前記第１の記録形式で前記記録先に記録する場合に、前記タイトル情報に含まれている前記形式情報を該タイトル情報から削除する、
ことを特徴とする情報記録装置として機能させるためのプログラム。
【発明の詳細な説明】
【０００１】
【発明の属する技術分野】
本発明は、情報を記録するための装置、方法、及び、プログラムに関する。
【０００２】
【従来の技術】
記録媒体、例えばＭＤ等には、ＡＴＲＡＣ（Adaptive Transform Acoustic Coding ）形式又はＡＴＲＡＣ３形式等で圧縮された音楽情報と、各音楽情報のタイトルを示すタイトル情報と、が記録されている。
【０００３】
上記タイトル情報には、音楽情報がＡＴＲＡＣ３形式で記録されていることを示す形式情報として、例えば所定の文字列（「ＬＰ：」等）が記録されている場合がある。
記録媒体から他の記録媒体に音楽情報を記録する記録装置の中には、音楽情報と一緒に上記タイトル情報をコピーするものがある。
【０００４】
【発明が解決しようとする課題】
しかし、タイトルコピー機能を有する記録装置は、音楽情報の記録形式に関わらずタイトル情報をコピーするため、タイトル情報の内容が実際とは異る場合がある。
【０００５】
例えば、ＡＴＲＡＣ３形式で記録されている音楽情報のタイトル情報には、上記した文字列（ＬＰ：）が書き込まれている。この音楽情報をＡＴＲＡＣ形式で他の記録媒体に記録する際、タイトルコピー機能を有する記録装置は、上記文字列含むタイトル情報をそのまま他の記録媒体にコピーする。このため、音楽情報はＡＴＲＡＣ形式で記録されているのに、タイトル情報には上記文字列が記録されたままとなる。
以上のようにタイトル情報の内容が実際と異なると紛らわしく、上記文字列を削除するためには、利用者が手作業で削除処理を行わなければならなかった。
【０００６】
従って、本発明は、正しい情報を記録する情報記録装置、情報記録方法、及び、プログラムを提供することを目的とする。
【０００７】
【課題を解決するための手段】
上記目的を達成するために、本発明の第１の観点にかかる情報記録装置は、所定の記録形式で所定の記録元に記録されている記録対象情報を、所定の記録形式で所定の記録先に記録する情報記録手段と、前記記録元に記録されている、前記情報記録手段が記録する前記記録対象情報のタイトルを示すタイトル情報を前記記録先に記録するタイトル記録手段と、から構成され、前記情報記録手段は、第１の記録形式又は第２の記録形式で前記記録元に記録されている前記記録対象情報を、該第１の記録形式又は該第２の記録形式で前記記録先に記録し、前記タイトル情報は、前記記録対象情報が前記第２の記録形式で前記記録元に記録されている場合、該記録対象情報が該第２の記録形式で記録されていることを示す形式情報を含み、前記タイトル記録手段は、前記情報記録手段が前記第２の記録形式で前記記録元に記録されている前記記録対象情報を、前記第１の記録形式で前記記録先に記録する場合に、前記タイトル情報に含まれている前記形式情報を該タイトル情報から削除する、ことを特徴とする。
【０００８】
また、本発明にかかる情報記録装置は、所定の記録形式で所定の記録元に記録されている記録対象情報を、所定の記録形式で所定の記録先に記録する情報記録手段と、前記記録元に記録されている、前記情報記録手段が記録する前記記録対象情報のタイトルを示すタイトル情報を前記記録先に記録するタイトル記録手段と、から構成され、前記情報記録手段は、第１の記録形式又は第２の記録形式で前記記録元に記録されている前記記録対象情報を、該第１の記録形式又は該第２の記録形式で前記記録先に記録し、前記タイトル情報は、前記記録対象情報が前記第２の記録形式で前記記録元に記録されている場合、該記録対象情報が該第２の記録形式で記録されていることを示す形式情報を含み、前記タイトル記録手段は、前記タイトル情報に前記形式情報が含まれている場合、該タイトル情報から該形式情報を削除する削除手段と、前記情報記録手段が前記記録対象情報を前記第２の記録形式で前記記録先に記録するか否かを判別する形式判別手段と、前記形式判別手段が前記第２の記録形式で記録すると判別した場合に、前記形式情報を削除した前記タイトル情報に該形式情報を書き込む書込手段と、を備える、ことを特徴とする。
【０００９】
本発明の第２の観点にかかる情報記録方法は、所定の記録形式で所定の記録元に記録されている記録対象情報を、所定の記録形式で所定の記録先に記録する情報記録工程と、前記記録元に記録されている、前記情報記録工程で記録する前記記録対象情報のタイトルを示すタイトル情報を前記記録先に記録するタイトル記録工程と、を備え、前記情報記録工程は、第１の記録形式又は第２の記録形式で前記記録元に記録されている前記記録対象情報を、該第１の記録形式又は該第２の記録形式で前記記録先に記録する工程を備え、前記タイトル情報は、前記記録対象情報が前記第２の記録形式で前記記録元に記録されている場合、該記録対象情報が該第２の記録形式で記録されていることを示す形式情報を含み、前記タイトル記録工程は、前記情報記録工程において、前記第２の記録形式で前記記録元に記録されている前記記録対象情報を、前記第１の記録形式で前記記録先に記録する場合に、前記タイトル情報に含まれている前記形式情報を該タイトル情報から削除する工程を備える、ことを特徴とする。
【００１０】
また、本発明にかかる情報記録方法は、所定の記録形式で所定の記録元に記録されている記録対象情報を、所定の記録形式で所定の記録先に記録する情報記録工程と、前記記録元に記録されている、前記情報記録工程で記録する前記記録対象情報のタイトルを示すタイトル情報を前記記録先に記録するタイトル記録工程と、を備え、前記情報記録工程は、第１の記録形式又は第２の記録形式で前記記録元に記録されている前記記録対象情報を、該第１の記録形式又は該第２の記録形式で前記記録先に記録する工程を備え、前記タイトル情報は、前記記録対象情報が前記第２の記録形式で前記記録元に記録されている場合、該記録対象情報が該第２の記録形式で記録されていることを示す形式情報を含み、前記タイトル記録工程は、前記タイトル情報に前記形式情報が含まれている場合、該タイトル情報から該形式情報を削除する削除工程と、前記情報記録工程で前記記録対象情報を前記第２の記録形式で前記記録先に記録するか否かを判別する形式判別工程と、前記形式判別工程で前記第２の記録形式で記録すると判別した場合に、前記形式情報を削除した前記タイトル情報に該形式情報を書き込む書込工程と、を備える、ことを特徴とする。
【００１１】
本発明の第３の観点にかかるプログラムは、コンピュータを、所定の記録形式で所定の記録元に記録されている記録対象情報を、所定の記録形式で所定の記録先に記録する情報記録手段と、前記記録元に記録されている、前記情報記録手段が記録する前記記録対象情報のタイトルを示すタイトル情報を前記記録先に記録するタイトル記録手段と、から構成され、前記情報記録手段は、第１の記録形式又は第２の記録形式で前記記録元に記録されている前記記録対象情報を、該第１の記録形式又は該第２の記録形式で前記記録先に記録し、前記タイトル情報は、前記記録対象情報が前記第２の記録形式で前記記録元に記録されている場合、該記録対象情報が該第２の記録形式で記録されていることを示す形式情報を含み、前記タイトル記録手段は、前記情報記録手段が前記第２の記録形式で前記記録元に記録されている前記記録対象情報を、前記第１の記録形式で前記記録先に記録する場合に、前記タイトル情報に含まれている前記形式情報を該タイトル情報から削除する、ことを特徴とする情報記録装置として機能させる。
【００１２】
【発明の実施の形態】
次に、本発明の実施の形態にかかるミニディスクレコーダについて図面を参照して説明する。
【００１３】
本発明の実施の形態にかかるミニディスクレコーダは、所定の記録媒体（ＭＤ（Mini Disc）やＣＤ（Compact Disc）等）に記録されている音楽情報をＡＴＲＡＣ（Adaptive TRansform Acoustic Coding ）形式又はＡＴＲＡＣ３形式等で圧縮してＭＤに記録する。また、ミニディスクレコーダは、音楽情報を記録する際、音楽情報のタイトルを示すタイトル情報を、所定の記録媒体からＭＤにコピーする。音楽情報がＡＴＲＡＣ３形式で記録されている場合、上記タイトル情報には音楽情報がＡＴＲＡＣ３形式で記録されていることを示す形式情報、例えば「ＬＰ：」等の文字列が書き込まれている。ミニディスクレコーダは、ＡＴＲＡＣ３形式で所定の記録媒体に記録されている音楽情報をＡＴＲＡＣ形式（Stereo又はMono）でＭＤに記録する場合、タイトル情報に含まれている上記文字列を削除する。
【００１４】
上記ミニディスクレコーダは、図１に示すように、コントローラ１と、記録再生部２と、ＵＴＯＣメモリ３と、ワークメモリ４と、タイトルメモリ５と、タイトル処理部６と、操作部７と、表示部８と、から構成されている。
【００１５】
コントローラ１は、ＲＡＭ（Random Access Memory ）、ＲＯＭ（Read Only Memory ）、及び、ＣＰＵ（Central Processing Unit ）等から構成されるマイクロコンピュータである。コントローラ１は、予め提供されるプログラム及びデータ等に従ってミニディスクレコーダ全体の動作を制御する。なお、コントローラ１が行う詳しい動作については後述する。
【００１６】
記録再生部２は、コントローラ１の制御に従って動作し、ＭＤ１０に記録されている情報を読み出したり、ＭＤ１０に情報を記録したりする。
【００１７】
ＭＤ１０の情報記録面は、図２に示すように、ＵＴＯＣ（User Table Of Contents）情報が記録されるＵＴＯＣエリア１１ａと、各トラックの音楽情報が記録されるプログラムエリア１１ｂと、から構成されている。ＵＴＯＣ情報は、各トラックのプログラムエリア１１ｂ上での位置を示すアドレス（スタートアドレスとエンドアドレス）、ディスクタイトルと各トラックに記録されている音楽情報のタイトル、及び、各トラックの録音モード（ＡＴＲＡＣ又はＡＴＲＡＣ３）等を示す。
【００１８】
記録再生部２は、所定位置にロードされたＭＤ１０から、初めにＵＴＯＣ情報を読み出す。そして、記録再生部２は、コントローラ１の制御に従って、ＭＤ１０のプログラムエリア１１ｂに記録されている所定トラックの音楽情報を読み出す。記録再生部２は、読み出した音楽情報にＥＦＭ復調、ディインターリーブ、誤り訂正、及び、伸張等の処理を施してアナログの音楽信号を生成し、所定のアンプやスピーカ等を介して音声として出力する。また、記録再生部２は、他の再生装置等から供給されるアナログの音楽信号をＡ／Ｄ変換し、圧縮、インターリーブ、誤り訂正符号の付加、及び、ＥＦＭ変調等の処理を施してＭＤ１０の未記録領域に記録する。
【００１９】
ＵＴＯＣメモリ３は、記録再生部２がＭＤ１０から読み出したＵＴＯＣ情報を記憶する。ＭＤ１０が記録再生部２にセットされている間、ＵＴＯＣ情報の更新はＵＴＯＣメモリ３上で行われる。そして、更新されたＵＴＯＣ情報は、ＭＤ１０がアンロードされる直前に、ＭＤ１０のＵＴＯＣエリア１１ａに記録される。
【００２０】
ワークメモリ４は、タイトル情報記録領域を有し、記録再生部２が読み出したＵＴＯＣ情報に含まれるタイトル情報を記憶する。
タイトルメモリ５は、タイトルの検索及び修正等を行うために使用され、ワークメモリ４が記憶するタイトル情報を記憶する。
【００２１】
タイトル処理部６は、コントローラ１の制御に従って、ワークメモリ４が記憶しているタイトル情報をタイトルメモリ５に記憶させる。また、タイトル処理部６は、コントローラ１の制御に従って、タイトルメモリ５が記憶しているタイトル情報を更新する。
【００２２】
操作部７は、複数の操作ボタン等を備え、ミニディスクレコーダの利用者により操作される。操作部７は、利用者の操作に従って、電源のオン／オフ、音楽情報の再生、録音、ポーズ、ストップ、サーチ、及び、ＭＤ１０のイジェクト等を指示する信号をコントローラ１に出力する。
【００２３】
表示部８は、液晶パネル又はエレクトロルミネッセンスパネル等から構成される。表示部８は、コントローラ１の制御に従って、所定の文字列やマーク等を表示することにより、ミニディスクレコーダの動作状況等を利用者に提示する。また、表示部８は、記録再生部２が動作を停止している間、記録再生部２にセットされているＭＤ１０のディスクタイトルを表示する。また、表示部８は、音楽情報の再生中又は録音中に、対象となっているトラックの番号（トラックナンバ）と、曲のタイトルと、再生経過時間又は録音経過時間と、を表示する。
【００２４】
次に、以上のように構成されるミニディスクレコーダの動作について説明する。
始めに、利用者は、ミニディスクレコーダと再生装置とを専用ケーブル等で接続する。そして、利用者は、記録対象の音楽情報を記録している記録媒体を再生装置にセットし、音楽情報の記録先となるＭＤ１０をミニディスクレコーダの記録再生部２にセットする。
【００２５】
ミニディスクレコーダのコントローラ１は、利用者によりＭＤ１０がセットされると、記録再生部２を制御してＭＤ１０のＵＴＯＣエリア１１ａに記録されているＵＴＯＣ情報を読み出し、ＵＴＯＣメモリ３に記録する。
【００２６】
また、コントローラ１は、読み出したＵＴＯＣ情報に含まれているタイトル情報をワークメモリ４のタイトル情報記録領域に記録する。
続いて、コントローラ１は、タイトル処理部６を制御し、読み出したＵＴＯＣ情報に含まれているタイトル情報をタイトルメモリ５に記録する。
【００２７】
その後、利用者は、ミニディスクレコーダの操作部７及び／又は再生装置を操作して、記録対象の音楽情報が記録されているトラックの番号、及び、録音モード（ＡＴＲＡＣ又はＡＴＲＡＣ３）等を選択する。
そして、利用者は、ミニディスクレコーダの操作部７及び／又は再生装置を所定の手順で操作し、音楽情報の記録開始を指示する。
【００２８】
利用者の記録開始指示に応答して、ミニディスクレコーダに接続された再生装置は、記録媒体に記録されている所定トラックの音楽情報及びタイトル情報を再生し、ミニディスクレコーダに出力する。
【００２９】
一方、ミニディスクレコーダのコントローラ１は、記録再生部２を制御し、再生装置から供給される音楽情報を、利用者が選択した録音モード（記録形式）でＭＤ１０に記録する。
【００３０】
また、コントローラ１は、図３に示すタイトルコピー処理を行い、再生装置から供給されるタイトル情報をＵＴＯＣメモリ３が記憶しているＵＴＯＣ情報に記録する。
【００３１】
始めに、コントローラ１は、タイトル処理部６を制御し、ミニディスクレコーダに接続された再生装置から供給されるタイトル情報をタイトルメモリ５に記録する（ステップＳ１０１）。
【００３２】
そして、コントローラ１は、タイトル処理部６を制御し、タイトルメモリ５に記録したタイトル情報に、音楽情報がＡＴＲＡＣ３形式で記録されていることを示す所定の文字列（例えば「ＬＰ：」等）が記録されているか否かを判別する（ステップＳ１０２）。
【００３３】
タイトル情報に上記文字列が記録されていないと判別した場合（ステップＳ１０２；ＮＯ）、コントローラ１は、利用者が選択した録音モードがＡＴＲＡＣモードであるか否か、即ち、ＭＤ１０に記録する音楽情報の記録形式がＡＴＲＡＣ形式であるか否かを判別する（ステップＳ１０３）。
【００３４】
録音モードがＡＴＲＡＣモードであると判別した場合（ステップＳ１０３；ＹＥＳ）、コントローラ１は、後述するステップＳ１０７の処理を行う。
一方、録音モードがＡＴＲＡＣモードでないと判別した場合（ステップＳ１０３；ＮＯ）、コントローラ１は、タイトル処理部６を制御して、タイトルメモリ５に記録したタイトル情報に上記文字列（ＬＰ：）を書き込み（ステップＳ１０４）、後述するステップＳ１０７の処理を行う。
【００３５】
上記ステップＳ１０２の処理でタイトル情報に上記文字列が記録されていると判別した場合（ステップＳ１０２；ＹＥＳ）、コントローラ１は、利用者が選択した録音モードがＡＴＲＡＣ３モードであるか否か、即ち、ＭＤ１０に記録する音楽情報の記録形式がＡＴＲＡＣ３形式であるか否かを判別する（ステップＳ１０５）。
【００３６】
録音モードがＡＴＲＡＣ３モードであると判別した場合（ステップＳ１０５；ＹＥＳ）、コントローラ１は、後述するステップＳ１０７の処理を行う。
一方、録音モードがＡＴＲＡＣ３モードでないと判別した場合（ステップＳ１０５；ＮＯ）、コントローラ１は、タイトル処理部６を制御し、タイトルメモリ５に記録したタイトル情報から上記文字列（ＬＰ：）を削除する（ステップＳ１０６）。
【００３７】
その後、コントローラ１は、タイトル処理部６を制御し、タイトルメモリ５のタイトル情報を記録用のデータに変換する。そして、コントローラ１は、記録用に変換したタイトル情報をＵＴＯＣメモリ３が記憶しているＵＴＯＣ情報に記録する（ステップＳ１０７）。これにより、コントローラ１は、ＵＴＯＣ情報を更新し、タイトルコピー処理を終了する。
【００３８】
音楽情報の記録及びタイトル情報のコピー等が終了すると、ミニディスクレコーダの利用者は、ＭＤ１０を取り出すために、操作部７が備える所定の操作ボタン（取出ボタン）を押下する。これにより、操作部７は、ＭＤ１０の排出を指示するディスク排出信号をコントローラ１に出力する。
【００３９】
コントローラ１は、操作部７から供給されるディスク排出信号に応答して記録再生部２を制御し、ＵＴＯＣメモリ３が記憶しているＵＴＯＣ情報をＭＤ１０のＵＴＯＣエリア１１ａに記録する。これにより、ＭＤ１０に記録されているＵＴＯＣ情報が更新される。
そして、コントローラ１は、記録再生部２を制御し、ＭＤ１０を排出する。
【００４０】
以上のようにして、タイトル情報をコピーする際、ＡＴＲＡＣ形式で記録されている音楽情報をＡＴＲＡＣ３形式で記録する場合はタイトル情報に上記文字列（ＬＰ：）が書き込まれ、ＡＴＲＡＣ３形式で記録されている音楽情報をＡＴＲＡＣ形式で記録する場合はタイトル情報から上記文字列（ＬＰ：）が削除される。これにより、実際の記録形式に一致する正しい内容を示すタイトル情報を所定の記録媒体からＭＤ１０に記録することができる。
【００４１】
なお、上記実施の形態では、記録元での記録形式と記録先での記録形式が異なる場合に、タイトルから上記文字列（ＬＰ：）を削除したり、上記文字列（ＬＰ：）をタイトルに書き込んだりした。しかし、記録形式に関わらずタイトルから上記文字列を一旦削除し、その後、ＭＤ１０での記録形式に応じて上記文字列をタイトルに書き込むようにしてもよい。
【００４２】
具体的には、コントローラ１は、上記したタイトルコピー処理の代わりに、例えば図４に示すタイトルコピー処理を行う。
【００４３】
始めに、コントローラ１は、上記と同様に、タイトル処理部６を制御し、再生装置から供給されるタイトル情報をタイトルメモリ５に記録し（ステップＳ２０１）、タイトル情報に上記文字列（ＬＰ：）が記録されているか否かを判別する（ステップＳ２０２）。
【００４４】
タイトル情報に上記文字列が記録されていないと判別した場合（ステップＳ２０２；ＮＯ）、コントローラ１は、後述するステップＳ２０４の処理を行う。
一方、タイトル情報に上記文字列が記録されていると判別した場合（ステップＳ２０２；ＹＥＳ）、コントローラ１は、タイトルメモリ５に記録したタイトル情報から上記文字列を削除する（ステップＳ２０３）。
【００４５】
そして、コントローラ１は、利用者が選択した録音モードがＡＴＲＡＣ３モードであるか否か、即ち、ＭＤ１０に記録する音楽情報の記録形式がＡＴＲＡＣ３形式であるか否かを判別する（ステップＳ２０４）。
【００４６】
録音モードがＡＴＲＡＣ３モードでないと判別した場合（ステップＳ２０４；ＮＯ）、コントローラ１は、後述するステップＳ２０６の処理を行う。
一方、録音モードがＡＴＲＡＣ３モードであると判別した場合（ステップＳ２０４；ＹＥＳ）、コントローラ１は、タイトル処理部６を制御して、タイトルメモリ５に記録したタイトル情報に上記文字列（ＬＰ：）を書き込む（ステップＳ２０５）。
【００４７】
その後、コントローラ１は、タイトル処理部６を制御し、タイトルメモリ５のタイトル情報を記録用のデータに変換する。そして、コントローラ１は、記録用に変換したタイトル情報をＵＴＯＣメモリ３が記憶しているＵＴＯＣ情報に記録し（ステップＳ２０６）、タイトルコピー処理を終了する。
【００４８】
以上のようにしても、音楽情報をＡＴＲＡＣ３形式でＭＤ１０に記録する場合にのみ、タイトルに上記文字列（ＬＰ：）が書き込まれる。言い換えると、実際の記録形式に一致する正しい内容を示すタイトル情報を所定の記録媒体からＭＤ１０に記録することができる。
【００４９】
また、上記実施の形態では、ミニディスクレコーダに接続された再生装置から供給される音楽情報をＭＤ１０に記録する場合を示したが、通信ネットワーク等を介して供給される音楽情報をＭＤ１０に記録してもよい。
【００５０】
また、上記実施の形態では、ＭＤ１０を情報の記録先としたが、ＭＤ以外のもの（ＣＤやハードディスク等）を情報の記録先としてもよい。
【００５１】
また、記録する情報は、音楽情報に限らず、映像情報等を含むものであってもよい。
【００５２】
また、本発明の装置は、専用の装置を用いる必要はなく、通常のコンピュータにより実現することができる。例えば、コンピュータに上記した各処理を実行させるためのプログラム及びデータを記録媒体（ＦＤ、ＣＤ−ＲＯＭ、ＤＶＤ等）に記録して配布し、これをインストールしてＯＳ上で実行することにより、この発明の装置を実現できる。また、上記プログラム及びデータは、インターネット上のサーバ装置が有するディスク装置等に格納しておき、コンピュータに、例えば搬送波に重畳してダウンロード等するものとしてもよい。
【００５３】
【発明の効果】
以上の説明から明らかなように、本発明によって、正しい情報を記録することができる。
【図面の簡単な説明】
【図１】本発明の実施の形態にかかるミニディスクレコーダの構成図である。
【図２】ＭＤが有する情報記録面の構成図である。
【図３】図１のミニディスクレコーダを構成するコントローラが行うタイトルコピー処理を示すフローチャートである。
【図４】図１のミニディスクレコーダを構成するコントローラが行う他のタイトルコピー処理を示すフローチャートである。
【符号の説明】
１    コントローラ
２    記録再生部
３    ＵＴＯＣメモリ
４    ワークメモリ
５    タイトルメモリ
６    タイトル処理部
７    操作部
８    表示部
１０  ＭＤ
【図１】
0003875862.tif 000002
【図２】
0003875862.tif 000003
【図３】
0003875862.tif 000004
【図４】
0003875862.tif 000005